(57)【要約】      （修正有）【課題】一台で不織布製の拭取シート等による清掃床面等および窓ガラス等の埃、塵等の除去および布製の雑巾等による清掃床面等および窓ガラス等の湿式拭き・乾式拭き等の清掃等もできるフローリングワイパーを提供する。【解決手段】主にワイパーヘッド１の部分に拭取シートと雑巾等の両方を止めておく機能がある挟み部材１１と、ワイパーヘッド１の底面２を凸状に湾曲した構造にする。清掃時、ワイパーヘッド１の柄棒２０を前後に押し引きした時の柄棒２０を持っている手の動きは、上下にも動いており、この上下運動をワイパーヘッド１に連動することで埃、塵等を挟み込みながら摺動できる。【選択図】図１
0003155215.tif 000002
【実用新案登録請求の範囲】
【請求項１】
上記フローリングワイパーであって、ワイパーヘッド１の基盤１０上に雑巾１８等を挟んで止める部分と拭取シート１７を取り付けることができる係止孔２１がついた挟み部材１１が形成されている、この挟み部材１１はワイパーヘッド１の基盤１０と図９の可動部材２５等で連結されているため基盤１０に対して図１７の通り上下に開閉等ができる構造である、この開閉は図６および図５等の弾性部材１３等で雑巾１８等を挟んで止める機能などであることを特徴とするフローリングワイパー。
【請求項２】
ワイパーヘッド１に連結された柄棒２０等とからなる上記フローリングワイパーであって、清掃時、この柄棒２０を前後に押し引きした時の柄棒２０を持っている手の位置は、清掃床面１９に対して図３の通り上下にも動いており、この上下運動をワイパーヘッド１に連動させる構造として、従来のフローリングワイパーのワイパーヘッドと柄棒が連結している連結部分の機能となる柄棒の上下左右の可動やワイパーヘッドの方向の可動等の機能に左程の支障がない程度に、また、上記の清掃時の柄棒２０の上下運動がワイパーヘッド１に連動して底面２の凸状に湾曲している凸状部分６を支点として清掃床面１に対して底面２の前部５と後部９が上下に動く程度に連結部分８の可動が調節されていることを特徴とする請求項１記載のフローリングワイパー。
【請求項３】
上記フローリングワイパーであって、上記の底面２の湾曲の形状としては、この湾曲の機能は、上記、柄棒２０の上下の動きがワイパーヘッド１に連動し、底面の凸状部分６を支点として清掃時にワイパーヘッド１の押し進む側の前部５や後部９が清掃床面１９に対して上下に動きやすくする機能等であるが、この前部５・後部９の上下の動きが前後均等的で安定的であり清掃効率が高い図７に示す半円中央平坦状３２の形状をしていることを特徴とする請求項１または２記載のフローリングワイパー。
【請求項４】
上記フローリングワイパーであって、上記、連結部分８の可動部分等の動きを鈍くする締め付け加減の調節および構造等において、図１９に示す通り、上記、雑巾１８等を装着して清掃する時の湿式拭き清掃側に柄棒２０を倒した時４７の上記連結部分８の連結部分可動部４８等の部分の締め付け加減と、上記、湿式拭き清掃側に柄棒２０を倒した時４７と逆の方向に柄棒２０を倒した時の上記連結部分８の連結部分可動部４８等の締め付け加減の強さを、上記、柄棒２０を倒した向きにより２段方式に変えることができることを特徴とする請求項１または３記載フローリングワイパー。
【請求項５】
上記フローリングワイパーであって、ワイパーヘッド１の基盤１０および挟み部材１１の部分には、図１５の拭取シート１７や雑巾１８等を手で押さえて装着しやすいように図１の装着凹部２９等の位置が分かりやすい装着突起部２８等、また、この押さえている手が挟み部材１１に挟まれないように装着凹部２９等が形成されていることを特徴とする請求項１または４記載フローリングワイパー。
【考案の詳細な説明】
【技術分野】
【０００１】本考案は、一台で不織布製の拭取シート等による清掃床面等および窓ガラス等の埃、塵等の除去および布製の雑巾等による清掃床面等および窓ガラス等の湿式拭き・乾式拭き等の清掃等もできるフローリングワイパーに関するものである。
【背景技術】
【０００２】従来のフローリングワイパーは、清掃時に、柄棒を前に押し、ワイパーヘッドが摺動する時の作用により、ワイパーヘッドが押し進む側の前部が清掃床面に押し付ける状態で摺動するため、埃、塵等は拭取シートと清掃床面の間に入り込みにくく清掃効率がわるかった。また、清掃床面や窓ガラス等を不織布製の拭取シート等や布製の雑巾等で湿式拭きや乾式拭き等をする場合に手で直接拭くのは大変であり専用の器具を必要とする。また、従来のフローリングワイパーに単に雑巾等を取り付けた場合、特に上記ワイパーヘッドを手前に引いた時にワイパーヘッドが反転する。【０００３】下記、特許文献１に記載の清掃具は、凸面状に湾曲しているワイパーヘッドの底面が清掃時の押圧力により湾曲部分が平坦面状になり、また、清掃時にワイパーヘッドの押し進む側の前方部分が清掃床面に押し付けられる状態で摺動するためにワイパーヘッドの底面の前部が拭取シートと清掃床面の間に埃、塵等が入り込みにくくなっている、また、この特許文献１のワイパーヘッドの底面を凸面状に湾曲にしている機能と本考案のワイパーヘッドの底面の湾曲の機能は別のものである。【０００４】下記、特許文献２に記載の清掃具は、埃、塵等を拭取シートの下に入り込ませる点においては、本発明に類似しているが、埃、塵等を拭取シートと清掃床面の間に入り込ませ、拭き取る方法、および、清掃具の構造等は全く異なるものである。
【先行技術文献】
【０００５】
【特許文献１】特開２００１−２９９６５９
【特許文献２】特開２００２−１０２１３３
【考案の概要】
【０００６】主にワイパーヘッドの部分に拭取シートと雑巾等の両方を止めておく機能がある挟み部と、ワイパーヘッドの底面を凸状に湾曲した構造にすることで、清掃時、ワイパーヘッドの柄棒を前後に押し引きした時の柄棒を持っている手の動きは、上下にも動いており、この上下運動をワイパーヘッドに連動する構造にすることで埃、塵等を清掃床面と拭取シートの間に挟み込みながら摺動することになる。また、上記の機能のより、雑巾等による床や窓ガラス等の清掃もできることで機能性等の高いフローリングワイパーを提供することができる。
【考案が解決しようとする課題】
【０００７】本考案の課題は、清掃時、ワイパーヘッド１に装着した拭取シート１７と清掃床面１９の間に通常の埃、塵等およびボリュームのある埃、塵等が入り込みやすくし、また、入り込んだ埃、塵等を拭取シート１７と清掃床面１９の間に挟み込みながら摺動できる構造と、ワイパーヘッド１に装着した拭取シート１７を布製の雑巾１８等に取り替えて清掃床面１９および窓ガラス４１等の湿式拭きや乾式拭き清掃もできる構造等および特に図４に示すように湿式拭き清掃時にワイパーヘッドを手前に引いた時にワイパーヘッド１が反転しない構造等を備えたフローリングワイパーを提供することにある。
【課題を解決すための手段】
【０００８】上記課題を解決するため、図１に示す本考案によるフローリングワイパーは、拭取シート１７を着脱自在に装着できるワイパーヘッド１と、このワイパーヘッド１の部分に雑巾１８等を挟むことができる挟み部４と、図２の通り凸状に湾曲しているワイパーヘッド１の底面２と、このワイパーヘッド１に連結された柄棒２０等からなる。清掃時、このワイパーヘッド１の柄棒２０を前後に押し引きした時の柄棒２０を持っている手の位置は、清掃床面１９に対して図３の通り上下にも動いており、この上下運動がワイパーヘッド１に連動した場合、このワイパーヘッド１の底面２の前部５後部９はスポンジ体１５の凸状部分６を支点として清掃床面１に対して上下に動くことになる。しかし、従来のフローリングワイパーでは柄棒可動部２６・連結部分８の可動はスムーズになっているために、この上下運動はワイパーヘッド１の連結部分８で止まることになるが、この連結部分８の機能は清掃時の柄棒２０の上下左右の可動やワイパーヘッド１の方向の可動等であり、この機能に左程の支障がない程度に、また、上記の清掃時の柄棒２０の上下運動がワイパーヘッド１に連動する程度に柄棒可動部２６・連結部分８の動きが鈍くなる程度に締め付けて摩擦抵抗等を調節することにより、清掃時の柄棒２０の上下運動が上記ワイパーヘッド１の押し進む側の前部５の底面２等が、上記、凸状部分６を支店として清掃床面１９に対して上下に動くようになる。また、この摩擦抵抗を強くすることで、上記、図４に示すようにワイパーヘッド１に雑巾１８等を装着し湿式拭きした時等の反転を防止できる他、ワイパーヘッド１の連結部分８から１５〜３０ｃｍ程度の部分に柄棒連結部２７があり、図６に示すように、この部分を外して柄棒を短くしても窓ガラス４１等の清掃もできる。また、上記、連結部分８の連結部分可動部４８の接触部分４６等を強くし動きを鈍くする調節等において、上記、ワイパーヘッド１に拭取シート１７等を装着して清掃する時は上記等による締め付け加減とし、雑巾１８等を装着して湿式拭き清掃等をする場合は、この拭取シート１７等を装着して清掃する時より締め付け加減を強くする２段方式もある、この２段方式は拭取シート１７等や雑巾１８等による清掃時の柄棒２０の倒す向きにより締め付け加減を変えることができる。
【０００９】上記機能に加えて、清掃床面１９の湿式拭き清掃もできる機能については、このフローリングワイパーの基盤１０上に雑巾１８等を挟んで止める部分と拭取シート１７を取り付けることができる係止孔２１がついた挟み部材１１が形成されている。この挟み部材１１はフローリングワイパーの基盤１０と図９の通り可動部材２５等で連結されているため基盤１０に対して図１７の通り上下に開閉ができる。また、この雑巾１８等を挟んで止めるこの機能として雑巾１８等の滑り止め部材として例えば図５の通り止突起１２と弾性部材１３として例えばバネ状７をつけている。また、ワイパーヘッド１の基盤１０および挟み部材１１の部分には、図１５の通り拭取シート１７や雑巾１８等を手で押さえて装着しやすいように図１に示す装着凹部２９等の位置が分かりやすい装着突起部２８等、また、この押さえている手が挟み部材１１に挟まれないように装着凹部２９等を形成する方法もある。
【考案の効果】
【００１０】清掃時において、清掃床面１９と拭取シート１７の間に通常の埃、塵等からボリュームのある埃、塵等まで入り込みやすくなり、入り込んだ埃、塵等は挟み込まれて摺動されるため、埃、塵等は拭取シート１７にからみやすくなる。また、従来のフローリングワイパーの要として特に重要な拭取シート１７等を止める係止孔２１の機能を残しているために拭取シート１７の取り付け取り外しが簡単であること。また、雑巾１８等を止める部分の構造が挟み式により各社が市販している雑巾１８等や家庭のタオル等も簡単に取り付けることができるために、従来のフローリングワイパーではできなかったこの一台のフローリングワイパーで拭取シート１７等や雑巾１８等を取り付けて乾式拭き・湿式拭き等による床面の清掃や窓ガラス４１等の清掃もできることになり効率性・能率性・経済性においても画期的なフローリングワイパーである。
【図面の簡単な説明】
【００１１】
【図１】本考案のフローリングワイパーのワイパーヘッドに拭取シート等を装着しない状態の斜視図。
【図２】ワイパーヘッドの底面の凸状部分の湾曲および高さを示す側面図。
【図３】清掃時に清掃床面に対して柄棒が上下に動いている状態を示す部分側面図。
【図４】ワイパーヘッドの反転を示す斜視図。
【図５】雑巾等を止める止突起およびバネ状を示す斜視図。
【図６】窓ガラスの清掃状態および弾性部材を示す側面図。
【図７】連結部分にゴム部材を貼着した状態と底面の半円中央平坦状およびスプリングを示す側面図。
【図８】柄棒の先端部分にゴム部材を貼着した状態と底面の台形状を示す側面図。
【図９】雑巾を装着した状態および可動部材の部分の斜視図。
【図１０】連結部分の可動部分を単に挟み付けている状態と先端部分を示す部分正面図。
【図１１】連結部分の可動部分をネジ等で締め付ける状態を示す部分正面図。
【図１２】連結部分の可動部分にゴム製のパッキン等を入れた状態を示す部分正面図。
【図１３】４箇所の挟み部材を示す斜視図。
【図１４】連結部分にゴム部材を貼着した状態の部分正面図。
【図１５】雑巾等の装着状態を示す斜視図。
【図１６】柄棒の先端部分にゴム部材を貼着した状態の部分正面図。
【図１７】挟み部材が上下に開閉できる状態を示す側面図。
【図１８】分銅をつるした状態の側面図。
【図１９】２段式の締め付け構造等を示す側面図。
【図２０】連結部分可動部材の側面図。
【考案を実施するための形態】
【００１２】以下に、本考案によるフローリングワイパーの主な、構造等、材質、寸法、実施形態等を示すが本考案はこれのみに制約されるものではない。
【００１３】図１に本考案によるフローリングワイパーの好ましい代表的な実施形態を示す。
【００１４】本考案によるフローリングワイパーの、ワイパーヘッド１に連結されている柄棒２０は、連結部分８に回動自在に連結されているため、この柄棒２０は、前後および左右の両方向に起倒自在に動くようになっている。また、基盤１０上の挟み部材１１には、雑巾１８等の滑り止めとして図５の通り止突起１２がついている、この形状および材質は山状・棒状・平面状・点状等で硬質または半硬質の合成樹脂製、スポンズ製、ゴム製や金属製等である。また、ワイパーヘッド１の基盤１０および挟み部材１１の部分には、図１５の通り拭取シート１７や雑巾１８等を手で押さえて装着しやすいように図１に示す装着凹部２９の位置が分かりやすい装着突起部２８、また、この押さえている手が挟み部材１１に挟まれないように装着凹部２９を形成した方が望ましい。
【００１５】本考案によるフローリングワイパーの主な部材の材質および形状において、例えば、硬質または半硬質の合成樹脂等によって基盤１０と挟み部材１１は、長方形状に形成され、この基盤１０の底面２にクッション性を持たせるための、例えば、スポンズ体１５が貼着されている、このスポンズ体１５の硬さは、上記、スポンジ体１５の凸状部分６を支点とする機能ができる程度であること。また、上記、挟み部材１１の複数箇所には、拭取シート１７の端部を押し込んで係止させるための係止孔２１が形成されている、この係止孔２１は、例えば、合成樹脂等を弾性変形可能な程度に薄肉に形成し、その薄肉の部分に切れ目を入れることにより形成したもので、この切れ目によって形成される複数の弾片を変形させながら拭取シート１７を係止孔２１に押し込むことにより、上記弾片が拭取シート１７を係止させるものである、また、上記、挟み部４に雑巾１８等を挟んで止める弾性部材１３として、例えば、板状・棒状や図５に示すバネ状７等の形状で合成樹脂製・ゴム製・金属製等が望ましい。
【００１６】本考案によるフローリングワイパー図１の主な構造等は、図１の通りワイパーヘッド１の底面２は凸状に湾曲している、この湾曲の機能は、上記、柄棒２０の上下の動きがワイパーヘッド１に連動し、底面の凸状部分６を支点として清掃時にワイパーヘッド１の押し進む側の前部５等の底面２が清掃床面１９に対して上下に動きやすくし清掃効率等を上げるための機能等であり、この形状には図２に示す半円状３３・図７に示す半円中央平坦状３２・図８に示す台形状３４や三角形状等があるが、この前部５・後部９の動きが前後均等的に安定的である方が清掃効率が高くなることから上記の形状の中では底面２の凸状部分６が平坦で支点等が広くなる半円中央平坦状が良い。また、図２の通りこの凸状部分６の高さ３は２〜５ｍｍ程度が望ましい。
【００１７】清掃時に清掃床面に対して柄棒が上下に動いている状態を図３に示しているが、清掃時に柄棒２０を前後に押し引きした時の柄棒２０を持っている手の上下運動をワイパーヘッド１に連動させるためには連結部分８の可動部分を締め付けて摩擦抵抗を強くし、この可動を鈍くする必要がある。この方法としては図１０に示す連結部分８の可動部分を単に挟み付ける・図１１に示すネジ３９等で締め付ける・図１２に示す摩擦抵抗の強い部材を例えばゴム製のパッキン３１等を挟んで締め付ける方法や連結部分８の柄棒２０の先端部分２４の部分を図１０の通り単に摩擦抵抗を強くする、また、図７・図８・図１４・図１６に示すように連結部分８や柄棒２０の先端部分２４に摩擦抵抗の強い部材を例えばゴム部材３０等を貼着する等である。この締め付け加減は従来のフローリングワイパーの機能として例えば清掃時の上記、柄棒２０の上下左右の可動やワイパーヘッド１の方向の可動等が通常にできる程度に、かつ、柄棒２０の上下運動がワイパーヘッド１に連動する程度の締め付け加減である。上記の加減を数字で示した場合は、図１８の通り本考案のフローリングワイパーを固定板３７で固定し連結部分８の上部３８から１６ｃｍの部分３６に分銅３５をつるし分銅３５が下がりだす直前の停止状態の分銅３５の重量は５０〜１５０ｇ程度が望ましい。また、ワイパーヘッド１の連結部分８の上部３８から１５〜３０ｃｍ程度の部分に柄棒連結部２７があり、この部分を外して柄棒２０を短くしても図６の通り窓ガラス４１等の清掃もできるが、この柄棒可動部２６の可動も上記の方法等で動きを鈍くした方が望ましい。また、上記、連結部分８の連結部分可動部４８の接触部分４６等の接触面等を強くし動きを鈍くする上記２段方式の締め付け加減の調節および構造等において、清掃時、図１９の通り雑巾１８等を装着して湿式拭き清掃側に柄棒２０を倒した時４７は湿式拭き清掃側の部分４５が接触部材４３の面に接触する、また、上記、湿式拭き清掃側に柄棒２０を倒した時４７の反対側に柄棒２０を倒して拭取シート１７等を装着して清掃する時は、拭取シート清掃側の部分４４が接触部材４３に接触することになる、この拭取シート清掃側の部分４４の接触部分は湿式拭き清掃側の部分４５より薄くなっている。この２段方式の締め付け加減は、上記拭取シート１７等による清掃時の接触部材４３に接触する拭取シート清掃側の部分４４は上記等の通りとし、湿式拭き清掃側に柄棒２０を倒した時４７に湿式拭き清掃側の部分４５が接触部材４３に接触する部分は、上記、拭取シート１７等による清掃時より強めにすることである。
【００１８】本考案によるフローリングワイパーの挟み部４の主構造は、フローリングワイパーの基盤１０上に弾性部材１３等で雑巾１８等を挟んで止める挟み部材１１に拭取シート２を取り付けることができる係止孔２１の機能があればよいのであるが挟み部材１１の数を図１に示す前後２箇所の挟み部材１１または図１３に示し前後４箇所程度の挟み部材１１等にしてもよい。
【００１９】本考案によるフローリングワイパーの主な各寸法においては、ワイパーヘッド１は、市販の拭取シート、縦、約２００ｍｍ、横、約３００ｍｍを装着できて、清掃に適していれば特に制約されるものではないが、底面２は押した時に進む方向側に対して左右方向となる横の長さ２５０ｍｍ程度、縦の長さ１００ｍｍ程度および挟み部材１１は、各横の長さ２５０ｍｍ程度、縦の長さ４５ｍｍ程度である。
【実施例】
【００２０】清掃効率の比較を下記の通り行った、清掃効率比較条件内容は、フローリングの床に髪の毛５本をランダムに各回に置き、通常の清掃動作にするために、柄棒を前後に押す引く時に摺動するワイパーヘッドの動く距離を前に４００ｍｍ、手前に３００ｍｍを一回とし各５回行った結果を下記清掃効率比較表に示した。【００２１】本考案によるフローリングワイパー図１と従来のフローリングワイパーを上記に示す比較条件内容において、清掃効率の比較測定をした結果は下記の清掃効率比較表の通り、従来の清掃具は清掃効率がわるかった。【００２２】上記の結果を示す清掃効率比較表。
0003155215.tif 000003
【産業上の利用可能性】
【符号の説明】
【００２３】  １・・・ワイパーヘッド。
２・・・基盤の下部のスポンジ体の部分の底面。
３・・・底面の凸状の高さ。
４・・・雑巾等を挟む部分の挟み部。
５・・・清掃時の押し進む側の前部。
６・・・スポンジ体の凸状部分。
７・・・バネ状。
８・・・柄棒と基盤を連結している連結部分。
９・・・清掃時に手前に進む側の後部。
１０・・ワイパーヘッドの基盤。
１１・・雑巾等を挟む部材の挟み部材。
１２・・雑巾等を挟み止める止突起。
１３・・雑巾等を挟む弾性部材。
１４・・雑巾等を挟む弾性部材のスプリング。
１５・・基盤の下部のスポンジ体。
１７・・拭取シート。
１８・・雑巾。
１９・・清掃床面。
２０・・柄棒。
２１・・係止孔。
２４・・柄棒の先の先端部分。
２５・・基盤と挟み部材を連結している可動部材。
２６・・柄棒部分の柄棒可動部。
２７・・柄棒の取り外し取り付け部分の柄棒連結部。
２８・・雑巾等を装着する時に使用する装着突起部。
２９・・雑巾等を装着する時に使用する装着凹部。
３０・・連結部分の可動を鈍くするゴム部材。
３１・・連結部分の可動を鈍くするゴム製のパッキン。
３２・・スポンジ体の半円中央平坦状。
３３・・スポンジ体の半円状。
３４・・スポンジ体の台形状。
３５・・分銅。
３６・・分銅をつるす１６ｃｍの部分。
３７・・固定板。
３８・・連結部分の上部。
３９・・連結部分のネジ。
４１・・窓ガラス。
４２・・手の上下運動差を見る基準線。
４３・・接触部材。
４４・・拭取シート清掃側の部分。
４５・・湿式拭き清掃側の部分。
４６・・接触部分。
４７・・湿式拭き清掃側に柄棒を倒した時。
４８・・連結部分可動部。
４９・・連結部分可動部材。
【図１】
0003155215.tif 000004
【図２】
0003155215.tif 000005
【図３】
0003155215.tif 000006
【図４】
0003155215.tif 000007
【図５】
0003155215.tif 000008
【図６】
0003155215.tif 000009
【図７】
0003155215.tif 000010
【図８】
0003155215.tif 000011
【図９】
0003155215.tif 000012
【図１０】
0003155215.tif 000013
【図１１】
0003155215.tif 000014
【図１２】
0003155215.tif 000015
【図１３】
0003155215.tif 000016
【図１４】
0003155215.tif 000017
【図１５】
0003155215.tif 000018
【図１６】
0003155215.tif 000019
【図１７】
0003155215.tif 000020
【図１８】
0003155215.tif 000021
【図１９】
0003155215.tif 000022
【図２０】
0003155215.tif 000023
【手続補正書】
【提出日】平成21年9月4日(2009.9.4)
【手続補正１】
【補正対象書類名】実用新案登録請求の範囲
【補正対象項目名】全文
【補正方法】変更
【補正の内容】
【実用新案登録請求の範囲】
【請求項１】
フローリングワイパーのワイパーヘッド１の基盤１０上に雑巾１８やタオルを挟んで
取り付けることができる部分と拭取シート１７を取り付けることができる係止孔２１が
ついた挟み部材１１が形成されている、この挟み部材１１はワイパーヘッド１の基盤
１０と可動部材２５で連結されているため基盤１０に対して上下に開閉ができる構造
である、この開閉は弾性部材１３により雑巾１８やタオルを挟んで止めることができ
ることを特徴とするフローリングワイパー。
【請求項２】
上記フローリングワイパーであって、清掃時、柄棒２０を前後に押し引きした時の柄
棒２０を持っている手の位置は、清掃床面１９に対して上下にも動いており、この上
下運動をワイパーヘッド１に連動させる構造として、フローリングワイパーのワイパ
ーヘッド１と柄棒２０が連結している連結部分の機能となる柄棒２０の上下左右の
可動やワイパーヘッド１の方向の可動の機能に左程の支障がない程度に、また、
上記、柄棒２０の上下運動がワイパーヘッド１に連動して、このワイパーヘッド１の
底面２の凸状に湾曲している凸状部分６を支点として、上記、清掃時、柄棒２０を
押した時に進む側のワイパーヘッド１の前部５と引いた時に進む側のワイパーヘ
ッド１の後部９が清掃床面１９に対して上下に動く程度に連結部分８の可動が調節
されていることを特徴とする請求項１記載のフローリングワイパー。
【請求項３】
上記フローリングワイパーであって、上記の底面２の凸状の湾曲は、上記、清掃時
の柄棒２０の上下の動きがワイパーヘッド１に連動し、上記、底面２の凸状部分６を
支点として清掃時に押し進む側のワイパーヘッド１の前部５、この逆側となる後部９
が清掃床面１９に対して上下に動きやすくするためであるが、この湾曲の形状は、
上記、前部５・後部９の上下の動きが前後均等的で安定的であり清掃効率が高い
半円中央平坦状３２の形状をしていることを特徴とする請求項２記載のフローリン
グワイパー。
【請求項４】
上記フローリングワイパーであって、上記、連結部分８の可動部分の動きを鈍くす
る締め付け加減の調節および構造において、清掃する時に一方の湿式拭き清掃
側に柄棒２０を倒した時４７の上記連結部分８の連結部分可動部４８の部分の締
め付け加減と、上記、湿式拭き清掃側に柄棒２０を倒した時４７と逆の方向に柄棒
２０を倒した時の上記連結部分８の連結部分可動部４８の締め付け加減の強さが
上記、柄棒２０を倒した向きにより２段方式に変えられることを特徴とする請求項
２記載フローリングワイパー。
【請求項５】
上記フローリングワイパーであって、ワイパーヘッド１の基盤１０および挟み部材１１
の部分には、雑巾１８やタオルを手で押さえて装着しやすいように、装着凹部２９の
位置が分かりやすい装着突起部２８、また、この押さえている手が挟み部材１１に
挟まれないように装着凹部２９が形成されていることを特徴とする請求項１記載フ
ローリングワイパー。